(57)【要約】【課題】  ダクトに取り付けられた各照明器具ごとの照明の形態を多様に変化させることができる照明システムを提供する。【解決手段】天井には、配線ダクト２を設ける。配線ダクト２には、プラグ３を着脱可能に取り付ける。プラグ３には、電灯（図示せず）を有する照明器具４を取り付ける。配線ダクト２の長手方向を向くプラグ３の一側部には、照明器具４を点灯状態と消灯状態とを交互に切り替えるプッシュ式切換スイッチ５を設ける。【選択図】図１
0003110925.tif 000002
【実用新案登録請求の範囲】
【請求項１】
一端部に係合部が設けられ、他端部に装着部が設けられたプラグ本体と、このプラグ本体に設けられた一対の入力電極とを備え、上記一対の入力電極の各端子部が上記係合部に近接して配置された照明器具用プラグにおいて、
上記プラグ本体に、上記一対の入力電極と上記装着部に取り付けられる照明器具と間を電気的に切断するオフ状態と、両者を電気的に接続するオン状態とに不連続に切り替え可能な切換スイッチが設けられていることを特徴とする照明器具用プラグ。
【請求項２】
上記切換スイッチが、上記プラグ本体の外部から手動操作可能である操作部を有し、この操作部の操作によって上記切換スイッチがオフ状態とオン状態とに切り替えられることを特徴とする請求項１に記載の照明器具用プラグ。
【請求項３】
上記操作部が、上記プラグ本体の上記一端部と上記他端部との間に位置する一側部に設けられていることを特徴とする請求項２に記載の照明器具用プラグ。
【請求項４】
上記操作部が、上記プラグ本体の内外方向へ移動可能に設けられており、
上記切換スイッチが、上記プラグ本体の内側へ向かって上記操作部を押し移動操作する毎にオフ状態とオン状態とに切り替わるプッシュ式切換スイッチであることを特徴とする請求項３に記載の照明器具用プラグ。
【請求項５】
一端部に係合部が設けられ、他端部に装着部が設けられたプラグ本体と、このプラグ本体に設けられた一対の入力電極と、上記プラグ本体の装着部に取り付けられた照明器具とを備え、上記一対の入力電極の各端子部が上記係合部に近接して配置された照明装置において、
上記プラグ本体に、上記一対の入力電極と上記照明器具との間を電気的に切断するオフ状態と、両者を電気的に接続するオン状態とに不連続に切り替え可能な切換スイッチが設けられていることを特徴とする照明装置。
【請求項６】
上記切換スイッチが、上記プラグ本体の外部から手動操作可能である操作部を有し、この操作部の操作によって上記切換スイッチがオフ状態とオン状態とに切り替えられることを特徴とする請求項５に記載の照明装置。
【請求項７】
上記操作部が、上記プラグ本体の上記一端部と上記他端部との間に位置する一側部に設けられていることを特徴とする請求項６に記載の照明装置。
【請求項８】
上記操作部が、上記プラグ本体の内外方向へ移動可能に設けられており、
上記切換スイッチが、上記操作部を上記プラグ本体の内側へ向かって押し移動操作する毎にオフ状態とオン状態とに切り替わるプッシュ式切換スイッチであることを特徴とする請求項７に記載の照明装置。
【請求項９】
長手方向に沿って延びる取付部が設けられたダクト本体と、このダクト本体に上記取付部に沿って設けられた一対の出力電極を有する配線ダクトと、一端部に上記ダクト本体の取付部に着脱可能に取り付けられる係合部が設けられ、他端部に装着部が設けられたプラグ本体と、このプラグ本体に設けられ、各端子部が上記係合部に近接して配置された一対の入力電極を有するプラグと、このプラグの上記装着部に取り付けられる照明器具とを備え、上記係合部が上記取付部に取り付けられているときに、上記一対の入力電極の各端子部が上記出力電極にそれぞれ接続される照明システムにおいて、
上記プラグ本体に、上記一対の入力電極と上記照明器具との間を電気的に切断するオフ状態と、両者を電気的に接続するオン状態とに不連続に切り替わる切換スイッチが設けられていることを特徴とする照明システム。
【請求項１０】
上記切換スイッチが、上記プラグ本体の外部から手動操作可能である操作部を有し、この操作部の操作によって上記切換スイッチがオフ状態とオン状態とに切り替えられることを特徴とする請求項９に記載の照明システム。
【請求項１１】
上記操作部が、上記プラグ本体の上記一端部と上記他端部との間に位置する一側部に設けられていることを特徴とする請求項１０に記載の照明システム。
【請求項１２】
上記操作部が、上記プラグ本体の内外方向へ移動可能に設けられており、
上記切換スイッチが、上記操作部を上記プラグ本体の内側へ向かって押し移動操作する毎にオフ状態とオン状態とに切り替わるプッシュ式切換スイッチであることを特徴とする請求項１１に記載の照明システム。
【請求項１３】
上記操作部が、上記ダクト本体の長手方向を向く上記プラグ本体の一側部に同方向へ移動可能に設けられていることを特徴とする請求項１２に記載の照明システム。
【請求項１４】
上記操作部が、上記ダクト本体の長手方向とほぼ直交する方向を向く上記プラグ本体の側部に同方向へ移動可能に設けられていることを特徴とする請求項１２に記載の照明システム。
【考案の詳細な説明】
【技術分野】
【０００１】
この考案は、配線ダクトを介して照明器具を天井等に取り付けるための照明器具用プラグ、並びにこのプラグを備えた照明装置及び照明システムに関する。
【背景技術】
【０００２】
一般に、天井に多数の照明器具を取り付けるための照明システムは、下記実用新案登録文献１に記載されているように、天井に設けられた配線ダクトと、この配線ダクトに着脱節可能に取り付けられた複数の照明器具用プラグと、各プラグに取り付けられた照明器具とを有している。各プラグは、配線ダクトの長手方向における任意の部位に取り付けることができる。したがって、各プラグの取付位置を適宜に変更して各照明器具の位置を変えることにより、照明に変化を持たせることができる。
【特許文献１】特開平７−１９２５２２号公報
【考案の開示】
【考案が解決しようとする課題】
【０００３】
上記従来の照明システムにおいては、各照明器具のオン、オフがダクトに設けられた一対の出力電極間をオン、オフすることによって行われているので、ダクトに取り付けられた各照明器具を、一斉に点灯、消灯させることしかできなかった。そのため、各照明器具ごとに照明を変化させて、全体の照明をより多様に変化させたいという要望に応えることが困難であった。
【課題を解決するための手段】
【０００４】
上記の問題を解決するために、この考案の第１の態様は、一端部に係合部が設けられ、他端部に装着部が設けられたプラグ本体と、このプラグ本体に設けられた一対の入力電極とを備え、上記一対の入力電極の各端子部が上記係合部に近接して配置された照明器具用プラグにおいて、上記プラグ本体に、上記一対の入力電極と上記装着部に取り付けられる照明器具との間を電気的に切断するオフ状態と、両者を電気的に接続するオン状態とに不連続に切り替え可能な切換スイッチが設けられていることを特徴としている。
上記の問題を解決するために、この考案の第２の態様は、一端部に係合部が設けられ、他端部に装着部が設けられたプラグ本体と、このプラグ本体に設けられた一対の入力電極と、上記プラグ本体の装着部に取り付けられた照明器具とを備え、上記一対の入力電極の各端子部が上記係合部に近接して配置された照明装置において、上記プラグ本体に、上記一対の入力電極と上記照明器具との間を電気的に切断するオフ状態と、両者を電気的に接続するオン状態とに不連続に切り替え可能な切換スイッチが設けられていることを特徴としている。
この考案の第１及び第２の態様においては、後述する理由により、上記切換スイッチが、上記プラグ本体の外部から手動操作可能である操作部を有し、この操作部の操作によって上記切換スイッチがオフ状態とオン状態とに切り替えられるものであることが望ましい。
上記操作部が上記一端部と上記他端部との間に位置する一側部に設けられていることが望ましい。
上記操作部が上記プラグ本体の内外方向へ移動可能に設けられており、上記切換スイッチが上記操作部を上記プラグ本体の内側へ向かって押し移動操作する毎にオフ状態とオン状態とに切り替わるプッシュ式切換スイッチであることが望ましい。
【０００５】
上記の問題を解決するために、この考案の第３の態様は、長手方向に沿って延びる取付部が設けられたダクト本体と、このダクト本体に上記取付部に沿って設けられた一対の出力電極を有する配線ダクトと、一端部に上記ダクト本体の取付部に着脱可能に取り付けられる係合部が設けられ、他端部に装着部が設けられたプラグ本体と、このプラグ本体に設けられ、各端子部が上記係合部に近接して配置された一対の入力電極を有するプラグと、このプラグの上記装着部に取り付けられる照明器具とを備え、上記係合部が上記取付部に取り付けられているときに、上記一対の入力電極の各端子部が上記出力電極にそれぞれ接続される照明システムにおいて、上記プラグ本体に、上記一対の入力電極と上記照明器具との間を電気的に切断するオフ状態と、両者を電気的に接続するオン状態とに不連続に切り替わる切換スイッチが設けられていることを特徴とする。
この考案の第３の態様においては、後述する理由により、上記切換スイッチが、上記プラグ本体の外部から手動操作可能である操作部を有し、この操作部の操作によって上記切換スイッチがオフ状態とオン状態とに切り替えられるものであることが望ましい。
上記操作部が上記一端部と上記他端部との間に位置する一側部に設けられていることが望ましい。
上記操作部が上記プラグ本体の内外方向へ移動可能に設けられており、上記切換スイッチが上記操作部を上記プラグ本体の内側へ向かって押し移動操作する毎にオフ状態とオン状態とに切り替わるプッシュ式切換スイッチであることが望ましい。
上記操作部が上記ダクト本体の長手方向を向く上記プラグ本体の一側部に同方向へ移動可能に設けられていることが望ましい。
上記操作部が上記ダクト本体の長手方向とほぼ直交する方向を向く上記プラグ本体の側部に同方向へ移動可能に設けられていることが望ましい。
【考案の効果】
【０００６】
上記構成を有するこの考案によれば、各照明器具用プラグに設けられた切換スイッチをオン、オフ操作することにより、各照明器具事に点灯、消灯することができる。したがって、全体の照明の形態を多様に変化させることができる。
【考案を実施するための最良の形態】
【０００７】
以下、この考案を実施するための最良の形態を、図面を参照して説明する。
図１は、この考案に係る照明システム１の一部を省略して示す斜視図である。
この照明システム１は、配線ダクト２と、この配線ダクト２に着脱可能に取り付けられた三つの照明器具用プラグ３と、各プラグ３にそれぞれ着脱可能に取り付けられた照明器具４（４，４Ａ，４Ｂ）とを備えている。
プラグ３は、二つ又は四つ以上設けてもよく、照明器具４はプラグ３の数に対応した数だけ用いられる。配線ダクト２、プラグ３及び照明器具４は、プラグ３に後述する切換スイッチ５が設けられている点を除き、周知の形状、構造を有するものを用いることができるが、この実施の形態ではそれぞれ次のものが用いられている。
【０００８】
図２に示すように、配線ダクト２は、ダクト本体２Ａを有している。
ダクト本体２Ａは、断面四角形の直管状に形成されている。ダクト本体２Ａは、その上面を天井Ｃに押圧接触させた状態で天井Ｃに取り付けられている。ダクト本体２Ａの下面には、取付部２１が形成されている。すなわち、下面には、ダクト本体２Ａの長手方向に沿って延び、ダクト本体２Ａの内部を外部に開放する開口部２２が形成されている。この開口部２２の両側には、互いに接近するように突出し、かつ開口部２２に沿って延びる突出部２３Ａ，２３Ｂが形成されている。ダクト本体２Ａの内面の両側部には、一対の保持部２４Ａ，２４Ｂが形成されている。各保持部２４Ａ，２４Ｂは、突出部２３Ａ，２３Ｂと上下に対向し、かつ突出部２３Ａ，２３Ｂと平行に延びている。各保持部２４Ａ，２４Ｂの各下面には、保持部２４Ａ，２４Ｂに沿って延びる一対の出力電極２Ｂ，２Ｃがそれぞれ設けられている。一対の出力電極２Ｂ，２Ｃは、電源（図示せず）に接続されている。
【０００９】
プラグ３は、図３から図６に示すように、プラグ本体３Ａを有している。プラグ本体３Ａは、互いに突き合わせた状態でビスＢによって固定された一対の半体３１，３２からなるものであり、軸線方向を上下方向に向けた横断面円形の中空体として形成されている。プラグ本体３Ａの上面中央部には、ダクト本体２Ａの開口部２２に挿脱可能な突起３３が形成されている。この突起３３の上端部の両側部には、互いに離間するようにほぼ水平に突出する一対の係合片３４Ａ，３４Ｂが形成されている。プラグ本体３Ａの上面、突起３３及び一対の係合片３４Ａ，３４Ｂによって係合部３５が構成されている。なお、プラグ本体３Ａは、係合片３４Ａ，３４Ｂをその幅方向において二等分する平面によって半体３１，３２に分割されている。
【００１０】
プラグ本体３Ａには、一対の入力電極３０Ａ，３０Ｂが設けられている。入力電極３０Ａ，３０Ｂの中間部は、突起３３に挿通されている。入力電極３０Ａ，３０Ｂの下端部は、プラグ本体３Ａに対しその内部においてそれぞれ固定されている。入力電極３０Ａ，３０Ｂの各上端部は、それぞれ端子部３６Ａ，３６Ｂになっており、各端子部３６Ａ，３６Ｂは、係合片３４Ａ，３４Ｂの上面に載置状態で設けられている。
【００１１】
係合片３４Ａ，３４Ｂは、その突出方向を配線ダクト２の長手方向に向けた状態では、ダクト本体２Ａの内部にその開口部２２から挿脱可能であり、プラグ本体３Ａの上面がダクト本体２Ａの下面に突き当たるまでダクト本体２Ａの内部に挿入した後、プラグ本体３Ａをその軸線を中心として９０°回動させると、プラグ本体３Ａの上面と係合片３４Ａ，３４Ｂがプラグ本体２Ａの突出部２３Ａ，２３Ｂを上下に挟持する。これにより、プラグ３が配線ダクト２に取り付けられる。プラグ３がダクト２に取り付けられた状態においては、一対の入力電極３０Ａ，３０Ｂの各端子部３６Ａ，３６Ｂが出力電極２Ｂ，２Ｃにそれぞれ押圧接触させられ、それによって電気的に接続される。プラグ３をダクト２に取り付けた姿勢から９０°回動させて係合片３４Ａ，３４Ｂの突出方向をダクト２の長手方向に一致させると、係合片３４Ａ，３４Ｂが開口部２２から下方へ脱出可能になる。そして、係合片３４Ａ，３４Ｂ及び突起３３を開口部２２から下方へ抜き出すことにより、プラグ３をダクト２から取り外すことができる。
【００１２】
プラグ本体３Ａの下端部には、装着部３７が形成されている。すなわち、プラグ本体３Ａの下端面中央部には、プラグ本体３Ａの内面まで貫通する貫通孔３８が形成されている。この貫通孔３８の内周面には、環状凹部３９が形成されている。貫通孔３８及び環状凹部３９によって装着部３７が構成されている。
【００１３】
上記照明器具４は、軸線を上下方向に向けた取付筒部４１を有している。この取付筒部４１の外周面の上端側には、環状突出部４１ａが形成されている。そして、取付筒部４１の上端部が貫通孔３８に嵌合されるとともに、環状突出部４１ａが環状凹部３９に挿入されることにより、取付筒部４１が装着部３７に取り付けられている。取付筒部４１の装着部３７に対する取り付け、取り外しは、ビスＢを取り外して半体３１，３２を分けることによって行うことができる。
【００１４】
取付筒部４１の下端部には、保持部材４２が水平な軸線を中心として回動可能に取り付けられている。ただし、保持部材４２は、所望の回動位置において節度をもって、つまり所定の大きさの摩擦抵抗その他の力で停止させることができるようになっている。保持部材４２には、円筒状をなすフード４３の基端部が取り付けられている。このフード４３には、ソケット４４がブラケット（図示せず）を介して取り付けられている。ソケット４４には、白熱電球、その他の照明灯（図示せず）が着脱可能に取り付けられる。
【００１５】
プラグ本体３Ａには、プッシュ式切換スイッチ５が設けられている。切換スイッチ５は、プラグ３をダクト２に取り付けたときにダクト２の長手方向を向くプラグ本体３Ａの一側部に配置されており、プラグ本体３Ａの周壁部を貫通するようにして設けられている。プラグ本体３Ａの内部に入り込んだ切換スイッチ５の一端部には、一対の端子５１Ａ，５１Ｂが設けられている。一方の端子５１Ａには、入力電極３０Ａがケーブルを介して電気的に接続されている。他方の端子５１Ｂには、ソケット４４の一対の入力線４５，４６の一方の入力線４５が電気的に接続されている。なお、ソケット４４の他方の入力線４６は、入力電極３０Ｂに電気的に接続されている。したがって、切換スイッチ５をオフ状態にすると照明器具４が消灯され、切換スイッチ５をオン状態にすると照明器具４が点灯する。
【００１６】
切換スイッチ５は、プッシュ釦（操作部）５２を有している。プッシュ釦５２は、その一端部をプラグ本体３Ａの外周面の一側部から外部に突出させた状態で設けられており、プラグ３をダクト２に取り付けた状態においては、ダクト２の長手方向に沿って移動するようになっている。切換スイッチ５は、プッシュ釦５２を一回押し操作する毎にオフ状態とオン状態とに交互に切り替わるようになっている。すなわち、プッシュ釦５２を一回押し操作すると、入力電極３０Ａ，３０Ｂと照明灯との間が電気的に切断され、その後プッシュ釦５２をもう一度押し操作すると、入力電極３０Ａ，３０Ｂと照明灯との間が電気的に接続される。このオン、オフの切り替えがプッシュ釦５２の押し操作毎に交互に繰り返される。しかも、切換スイッチ５のオン、オフの切り替えは、不連続に行われる。ここで、不連続とは、オフ状態とオン状態との中間状態を経ることなく、入力電極３０Ａ，３０Ｂと照明灯との間が完全に遮断されたオフ状態と、それらの間が抵抗無く接続されたオン状態とのいずれかに二値的に切り替わることを意味するものである。
【００１７】
上記構成の照明システム１においては、各プラグ３に切換スイッチ５が設けられ、各プラグ３に取り付けられた照明器具４毎に点灯、消灯することができるので、照明の形態を多様に変化させることができる。
【００１８】
また、切換スイッチ５がプラグ本体３Ａの側部に設けられているので、切換スイッチ５のプッシュ釦５２を押し操作する際にダクト２や照明器具４が邪魔になることがなく、プッシュ釦５２を容易に操作することができる。特に、この実施の形態のように、切換スイッチ５をダクト２の長手方向を向くプラグ３の側部に配置した場合には、切換スイッチ５の操作をより一層容易に行うことができる。すなわち、切換スイッチ５を操作する場合には、できる限り多くの切換スイッチ５を一定の位置から操作することができるようにするために、操作者はダクト２の側面と対峙するように身体を位置させる。その状態で、プッシュ釦５２を押し操作する際には、親指と他の指とでプラグ本体３Ａの他側部とプッシュ釦５２とを挟持するようにして、プッシュ釦５２を押し操作することになるが、そのときに腕や身体を無理な姿勢にすることなく、自然な姿勢でプッシュ釦５２を押し操作することができる。したがって、切換スイッチ５の切換操作を容易に行うことができる。
【００１９】
なお、この考案は、上記の実施の形態に限定されるものでなく、その要旨を逸脱しない範囲において適宜変更可能である。
例えば、上記の実施例においては、プラグ３をダクト２に取り付けたときに、ダクト２の長手方向を向く側部に切換スイッチ５を取り付けているが、ダクト２の長手方向と直交する方向を向く側部に取り付けてもよい。そのようにした場合には、切換スイッチ５の前側に他のプラグ３や照明器具４が存在しないので、切換スイッチ５の切換操作を容易に行うことができる。
また、上記の実施例においては、切換スイッチとしてプッシュ釦５２を有するプッシュ式切換スイッチ５が用いられているが、トグルスイッチや、オン位置とオフ位置との間を回動可能な回動式切換スイッチ、その他の各種の切換スイッチを採用することが可能である。また、遠隔操作可能な切換スイッチを用いてもよい。
また、プラグ３に取り付けられる照明器具４は、上記実施例に限定されることなく、適宜変更可能である。
【図面の簡単な説明】
【００２０】
【図１】この考案に係る照明システムの一実施例の一部を省略して示す斜視図である。
【図２】図１のＸ−Ｘ線に沿う拡大断面図である。
【図３】同実施の形態のプラグ及び照明器具を示す分解斜視図である。
【図４】同実施の形態において用いられているプラグを示す図であって、図４（Ａ）はその正面図、図４（Ｂ）はその右側面図、図４（Ｃ）はその左側面図、図４（Ｄ）はその平面図、図４（Ｅ）はその底面図である。
【図５】同実施の形態において用いられているプラグの一方の半体を示す正面図である。
【図６】同実施の形態において用いられているプラグの他方の半体を示す正面図である。
【符号の説明】
【００２１】
１  照明システム
２  配線ダクト
２Ａ  ダクト本体
２Ｂ  出力電極
２Ｃ  出力電極
３  照明器具用プラグ
３Ａ  プラグ本体
３０Ａ  入力電極
３０Ｂ  入力電極
４  照明器具
５  切換スイッチ
２１  取付部
３５  係合部
３７  装着部
５２  プッシュ釦（操作部）
【図１】
0003110925.tif 000003
【図２】
0003110925.tif 000004
【図３】
0003110925.tif 000005
【図４】
0003110925.tif 000006
【図５】
0003110925.tif 000007
【図６】
0003110925.tif 000008